(57)【特許請求の範囲】
【請求項１】
浴槽内に設けられ、浴槽から浴水を吸水する吸水口と、
該吸水口に吸水配管を介して接続され、浴水を吸引する循環ポンプと、
該循環ポンプに送水配管により接続され、送られてきた浴水を浄化するための濾過タンクと、
該濾過タンクに出水配管を介して接続され、浴槽に浴水を出水する出水口と、
前記送水配管と前記出水配管とを連結する帰還配管と、
該帰還配管に設けられたエアー抜きエジェクタと、
該エアー抜きエジェクタと濾過タンクの上部とを接続するエアー抜き配管と、
所定温度の高温水を循環させて装置を殺菌する熱洗浄手段と；を備え、
前記熱洗浄手段による高温水の循環前に、前記帰還配管に循環ポンプからの浴水を流すことにより、前記エアー抜きエジェクタにおいてエアー抜き配管からの濾過タンクの上部に貯まった気体を排気する、
ことを特徴とする浴水浄化装置。
【請求項２】
浴槽内に設けられ、浴槽から浴水を吸水する吸水口と、
該吸水口に吸水配管により接続され、浴水を吸引する循環ポンプと、
該循環ポンプに送水配管によりその上部において接続され、送られてきた浴水を浄化し、その底部の排出口より排出する濾過タンクと、
該濾過タンクの排出口に出水配管を介して接続され、浴槽に浴水を出水する出水口と、
前記送水配管と濾過タンクの底部とを断絶可能に連結する配管と、
所定温度の高温水を循環させて装置を殺菌する熱洗浄手段と、
前記送水配管側に断絶可能に連結し、前記高温水を系外に排出する排出配管と、；を備え、
前記熱洗浄手段による高温水の循環前に、前記循環ポンプから濾過タンクの排出口側に浴水を送水することにより、濾過タンクから気体を前記排出配管へと導いて、系外に排出する、
ことを特徴とする浴水浄化装置。
【発明の詳細な説明】
【０００１】
【発明の属する技術分野】
この発明は、浴水浄化装置に関する。
【０００２】
【従来の技術】
浴槽から浴水を循環ポンプにより吸引し、濾過タンク等により浄化した後、該浴水を浴槽に戻して循環させる浴水浄化装置が普及している。
このような浴水浄化装置において、所定温度以上の高温水を装置内部に循環させて装置の内部を殺菌或いは滅菌するようにした熱洗浄機能をそなえたものが本願出願人により既に提案されている。
【０００３】
【発明が解決しようとする課題】
しかし、このような熱洗浄を行う場合、濾過タンクなどに貯まった空気等の気体が熱膨張し、循環ポンプが空運転となる等の不具合が生ずることがわかってきた。特に、浴水殺菌のためにオゾン等を用いた場合、気体が貯まりやすくこのような気体の除去の必要性が大きくなってくる。
本発明は上記従来技術の欠点を改善することを目的とする。
【０００４】
【課題を解決するための手段】
上記目的を達成するために、本発明の浴水浄化装置は、浴槽内に設けられ、浴槽から浴水を吸水する吸水口と、該吸水口に吸水配管を介して接続され、浴水を吸引する循環ポンプと、該循環ポンプに送水配管により接続され、送られてきた浴水を浄化するための濾過タンクと、該濾過タンクに出水配管を介して接続され、浴槽に浴水を出水する出水口と、前記送水配管と前記出水配管とを連結する帰還配管と、該帰還配管に設けられたエアー抜きエジェクタと、該エアー抜きエジェクタと濾過タンクの上部とを接続するエアー抜き配管と、所定温度の高温水を循環させて装置を殺菌する熱洗浄手段と；を備え、前記熱洗浄手段による高温水の循環前に、前記帰還配管に循環ポンプからの浴水を流すことにより、前記エアー抜きエジェクタにおいてエアー抜き配管からの濾過タンクの上部に貯まった気体を排気する、ことを特徴とする。
上記構成により浴水を該エアー抜きエジェクタに流すことにより濾過タンクの上部に貯まった気体を簡単に排出することができる。
また前記送水配管側に高温水を系外に排出する排出配管を断絶可能に連結し、濾過タンクの下部から上部へ浴水を逆流させ、濾過タンクの上部に貯まった気体を該排出配管へと導いて排出することも可能である。
【０００５】
【発明の実施の形態】
以下本発明の実施の形態を図面に基づいて説明する。
最初に図４により熱洗浄機能付きの浴水浄化装置の構成を説明する。
浴槽１の内部に設けられた吸水口２は吸水配管１０により循環ポンプ３の吸水側と接続され、循環ポンプ３の送水側は送水配管１１に接続され、ヒータ４と殺菌装置５を経由して濾過タンク６の上部に設けられた入水口６０に接続する。浴水は、入水口６０から入って濾過タンク６の底部に設けられた排出口６１から排出される間に濾過されるようになっている。
濾過タンク６の排出口６１には、出水配管１２が接続され、出水口７から浴水を浴槽１内に戻すように構成されている。
出水配管１２には切替Ｌバルブ８が設けられており、該切替Ｌバルブ８に熱洗浄用配管１３が接続され、出水配管１２と吸水配管１０とを直結可能としている。
熱洗浄の際には、切替Ｌバルブ８を熱洗浄用配管１３側に切り替えて、出水配管１２と出水口７の接続を断ち、出水配管１２と吸水配管１０を直結して浴水を循環するようになっている。即ち、ヒータ４により浴水を所定温度に熱せられた熱水を、殺菌装置５、濾過タンク６、出水配管１２、熱洗浄用配管１３、吸水配管１０、循環ポンプ３、送水配管１１、ヒータ４の順で循環させることにより熱洗浄を行うようになっている。
洗浄が終了したら、送水配管１１に設けられた切替Ｔバルブ９を切り替えて循環ポンプ３の送水側を排出配管１４に接続し、熱水を系外に排出するようになっている。
【０００６】
上記構成において、本発明の実施形態では、図１に示すように循環ポンプ３の送水側の送水配管１１と濾過タンク６の排出口６１側の出水配管１２とを連結可能な帰還配管２２を設けてある。該帰還配管２２は切替Ｔバルブ２３を介して出水配管１２と接続しており、該切替Ｔバルブ２３を切り替えることにより出水配管１２と連結、非連結となるようになっている。
また、帰還配管２２にはエアー抜きエジェクタ２１を設け、このエアー抜きエジェクタ２１にはエアー抜き配管２０が連結されている。該エアー抜き配管２０は濾過タンク６の上部と連結し、濾過タンク６の上部に貯まった気体をエアー抜きエジェクタ２１から排出できるように構成されている。
【０００７】
以上の構成において、切替Ｔバルブ２３を切り替えて帰還配管２２を出水配管１２の出水口７側と接続すれば、循環ポンプ３からの浴水は送水配管１１側に送られると同時に帰還配管２２側にも送られ、出水配管１２に流れて出水口７から浴槽１内に環流する。帰還配管２２に浴水が流れると、エアー抜きエジェクタ２１からエアー抜き配管２０を介して濾過タンク６の上部の気体が吸引され、浴水と共に出水配管１２から浴槽１内に排出される。
以上の動作により濾過タンク６内の気体を効率的に除去することができる。
【０００８】
図２に他の実施形態を示す。
この実施形態では、帰還配管２２と切替Ｔバルブ２３を設けることは図１の実施形態と同じであるが、エアー抜き配管２０とエアー抜きエジェクタ２１とは設けていない。
そして、切替Ｔバルブ２３を切り替えて帰還配管２２と出水口との連結を断ち、同時に出水配管１２の濾過タンク６側と接続することにより、浴水を濾過タンク６の排出口６１側から逆流できるように構成している。
以上の構成において、切替Ｔバルブ２３を切り替えて、帰還配管２２を排出口６１側と接続し、出水口７側とは接続しないようにする。同時に、切替Ｔバルブ９を切り替えて送水配管１１を熱洗浄用配管１３と接続しておく。
この状態で、循環ポンプ３を運転すれば、浴水は吸水口２から、循環ポンプ３、帰還配管２２、切替Ｔバルブ２３、切替Ｌバルブ８、排出口６１と流れて、濾過タンク６に逆流する。そして、逆流浴水は濾過タンク６の上部に貯まって気体と共に入水口６０から排出され、殺菌装置５、ヒータ４、切替Ｔバルブ９、と流れて排出配管１４から系外へ排出されるようになっている。
【０００９】
図３に更に他の参考例を示す。
この実施形態では濾過タンク６の上部にエアー抜き用電磁弁３０を設け、任意の時にこのエアー抜き用電磁弁３０からエアー等を抜くことができるようになっている。
【００１０】
以上説明した実施形態においては、濾過タンク６に貯まった気体を効率よく排気できるから、熱洗浄を行っても、気体の熱膨張により循環ポンプ３の空運転等が生ずることがない。また、機器内の内圧の上昇を抑制できる等の効果がある。
【００１１】
【発明の効果】
以上説明したように本発明の浴水洗浄装置によれば、装置内に貯まる気体を適宜排気することができるから、装置の円滑な運転を維持できる効果がある。
【図面の簡単な説明】
【図１】本発明の一実施形態を示すブロック図。
【図２】本発明の他の実施形態を示すブロック図。
【図３】他の参考例を示すブロック図。
【図４】熱洗浄機能を有する浴水清浄装置の構成を示すブロック図。
【符号の説明】
１：浴槽、２：吸水口、３：循環ポンプ、４：ヒータ、５：殺菌装置、６：濾過タンク、７：出水口、８：切替Ｌバルブ、９：切替Ｔバルブ、１０：吸水配管、１１：送水配管、１２：出水配管、１３：熱洗浄用配管、１４：排出配管、２０：エアー抜き配管、２１：エアー抜きエジェクタ、２２：帰還配管、２３：切替Ｔバルブ、３０：エアー抜き用電磁弁、６０：入水口、６１：排出口。
【図１】
0003797575.tif 000002
【図２】
0003797575.tif 000003
【図３】
0003797575.tif 000004
【図４】
0003797575.tif 000005